(57)【特許請求の範囲】
【請求項１】
極性が反転されたテレビ番組のＯＦＤＭ信号をセンタ側から伝送路上に送出し、端末装置において、視聴許可信号に基づいてセンタ側からのＯＦＤＭ信号の極性を再反転させてテレビ受像機に供給することを特徴とするＣＡＴＶシステムにおける番組視聴制御方法。
【請求項２】
端末装置により、センタ側からの複数チャンネルのＯＦＤＭ信号を複数チャンネルに一括変換してテレビ受像機に供給することを特徴とする請求項１記載のＣＡＴＶシステムにおける番組視聴制御方法。
【請求項３】
端末装置により、センタ側からの複数チャンネルのＯＦＤＭ信号を固定チャンネルに個別に変換してテレビ受像機に供給することを特徴とする請求項１記載のＣＡＴＶシステムにおける番組視聴制御方法。
【発明の詳細な説明】
【技術分野】
【０００１】
この発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数多重分割）信号によるテレビ番組を容易に視聴制御することができるＣＡＴＶシステムにおける番組視聴制御方法に関する。
【背景技術】
【０００２】
ホテルや、病院、学校などの施設では、構内にＣＡＴＶシステムを構築してテレビ番組を視聴サービスすることが少なくない。
【０００３】
ＣＡＴＶシステムのテレビ番組は、無料番組に加えて有料番組を含むのが普通である。そこで、有料番組を円滑に視聴させるために、センタ側において有料番組のテレビ信号にスクランブル処理を掛けて伝送路に送出し、加入者側の端末装置において、有料番組の視聴契約がある場合にのみ、スクランブル処理の解除を許可する方式が実用されている（たとえば特許文献１）。また、このようなスクランブルによる視聴制御方式をＣＡＴＶシステムに応用する改良技術も提案されている（特許文献２）。
【特許文献１】特開２００２−１５２７０２号公報
【特許文献２】特開２００７−８９２１１号公報
【発明の開示】
【発明が解決しようとする課題】
【０００４】
かかる従来技術によるときは、有料番組の視聴契約がある加入者の端末装置においてのみスクランブル処理を解除する必要があるため、視聴契約の存否を確認するために加入者側の端末装置とセンタ側との間に双方向の通信が必要であり、端末装置が複雑高価になりがちであるという問題があった。端末装置は、スクランブル処理を解除するために、自己の識別番号を含む固有のスクランブル解除情報をセンタ側から取得する必要があるからである。
【０００５】
そこで、この発明の目的は、かかる従来技術の問題に鑑み、テレビ番組用のＯＦＤＭ信号の極性を反転させることによって、簡単な端末装置を使用して容易にテレビ番組を視聴制御することができるＣＡＴＶシステムにおける番組視聴制御方法を提供することにある。
【課題を解決するための手段】
【０００６】
かかる目的を達成するためのこの発明の構成は、極性が反転されたテレビ番組のＯＦＤＭ信号をセンタ側から伝送路上に送出し、端末装置において、視聴許可信号に基づいてセンタ側からのＯＦＤＭ信号の極性を再反転させてテレビ受像機に供給することをその要旨とする。
【０００７】
なお、端末装置により、センタ側からの複数チャンネルのＯＦＤＭ信号を複数チャンネルに一括変換してテレビ受像機に供給することができ、センタ側からの複数チャンネルのＯＦＤＭ信号を固定チャンネルに個別に変換してテレビ受像機に供給することができる。
【発明の効果】
【０００８】
かかる発明の構成によるときは、加入者側の端末装置は、極性が反転されたセンタ側からのＯＦＤＭ信号の極性を再反転させてテレビ受像機に供給するだけで済み、その構成を極めて簡単にすることができる。なお、ここで、ＯＦＤＭ信号の極性とは、ＯＦＤＭ信号を構成する最大５６１７本のキャリヤの周波数軸上における配列順序をいう。したがって、極性が反転されたＯＦＤＭ信号は、周波数軸上におけるキャリヤの配列順序が逆順になっており、周波数スペクトラムが反転していることを意味し、このようなＯＦＤＭ信号は、たとえば、ディジタル信号をＩＦＦＴ（Ｉｎｖｅｒｓｅ  Ｆａｓｔ  Ｆｏｕｒｉｅｒ  Ｔｒａｎｓｆｏｒｍｅｒ：逆高速フーリエ変換）処理、直交変調処理して正規のＯＦＤＭ信号を作り、その後、局部発振周波数との差の周波数の出力信号に周波数変換することにより、簡単に作ることができる。また、ＩＦＦＴ処理後のＩ成分（Ｉｎ−ｐｈａｓｅ：同相成分）、Ｑ成分（Ｑｕａｄｒａｔｕｒｅ−ｐｈａｓｅ：直交成分）を入れ替えることによっても、同様に極性が反転されたＯＦＤＭ信号を作ることができる。
【０００９】
極性が反転されたＯＦＤＭ信号は、たとえば地上ディジタル放送対応のテレビ受像機に供給しても、正しく映像化されず、視聴不可能である。そこで、端末装置は、適切な視聴許可信号に基づいて、極性が反転されたセンタ側からのＯＦＤＭ信号の極性を再反転させてテレビ受像機に供給することにより、極性を反転させたＯＦＤＭ信号としてセンタ側から送出される有料番組を正常に視聴させることができる。なお、極性の再反転も、その反転と全く同様に、ＯＦＤＭ信号を局部発振周波数との差相当の周波数の出力信号に周波数変換することによって実現できる。また、視聴許可信号は、たとえば、端末装置に付属のコインタイマに所定の視聴料相当の金員が投入されたことを示す信号や、プリペイドカードにより所定の前払い金額が支払われたことを示すカードリーダからの信号、端末装置用またはテレビ受像機用のリモコンにより有料番組が選択されたことを示す信号などを使用することができる。
【００１０】
端末装置により、センタ側からの複数チャンネルのＯＦＤＭ信号を複数チャンネルに一括変換してテレビ受像機に供給すると、テレビ受像機は、内蔵のチャンネル選択機能を使用して、変換後の複数チャンネルの１波を選択して視聴すればよい。
【００１１】
端末装置により、センタ側からの複数チャンネルのＯＦＤＭ信号を特定の固定チャンネルに個別に変換してテレビ受像機に供給すると、テレビ受像機は、内蔵のチャンネル選択機能を使用することなく、任意の空きチャンネルを固定の視聴用チャンネルとして使用することができる。ただし、このときの端末装置は、センタ側からの複数チャンネルを視聴用の固定チャンネルに変換するために、視聴するチャンネルごとに局部発振周波数を変動させる必要がある。
【発明を実施するための最良の形態】
【００１２】
以下、図面を以って発明の実施の形態を説明する。
【００１３】
ＣＡＴＶシステムにおける番組視聴制御方法は、センタ側のヘッドエンド装置１０、伝送路Ｎ、加入者側の端末装置２０、テレビ受像機ＴＶを組み合わせるＣＡＴＶシステムにおいて実施する（図１）。ただし、図１において、加入者側の端末装置２０、テレビ受像機ＴＶは、共通のヘッドエンド装置１０に対し、伝送路Ｎを介して多数組が接続されている。また、テレビ受像機ＴＶは、ＯＦＤＭ信号による地上ディジタル放送に対応している。
【００１４】
ヘッドエンド装置１０は、複数チャンネルの有料番組のテレビ信号ＴＳ、ＴＳ…を処理するために、複数系列の符号化部１１、ＩＦＦＴ部１２、直交変調部１３、コンバータ部１４と、共通の混合部１５とを備えて構成されている（図２）。
【００１５】
符号化部１１には、図示しない情報源からのディジタル化されたテレビ信号ＴＳが入力されており、符号化部１１は、テレビ信号ＴＳをシリアルパラレル変換し、ＩＦＦＴ部１２は、符号化部１１の出力を所定のビット数ごとに高速逆フーリエ変換処理してＩ成分、Ｑ成分として出力する。直交変調部１３は、ＩＦＦＴ部１２からのＩ成分、Ｑ成分をディジタルアナログ変換して直交変調し、正規のＯＦＤＭ信号の中間周波信号ＩＦを出力するから、コンバータ部１４は、中間周波信号ＩＦを所定の高周波信号ＲＦに周波数変換して混合部１５に出力する。ただし、各コンバータ部１４は、入力側の中間周波信号ＩＦの周波数ｆi 、局部発信周波数ｆc 、出力側の高周波信号ＲＦの周波数ｆr として、ｆr ＝ｆc −ｆi に設定することにより、高周波信号ＲＦとして、極性が反転されたＯＦＤＭ信号を出力することができる。そこで、混合部１５は、極性が反転された複数チャンネルのテレビ番組のＯＦＤＭ信号Ｓ1 を伝送路Ｎ上に送出することができる（図３）。
【００１６】
図３において、スーパーハイバンド中のチャンネルＰ1 、Ｐ2 、Ｐ3 は、ヘッドエンド装置１０からの極性が反転されたＯＦＤＭ信号Ｓ1 の各チャンネルに相当している。すなわちチャンネルＰi （ｉ＝１、２…）内のキャリヤ１、２…ｎ（ただし、ｎは、最大５６１７）は、周波数軸上において配列順序が逆順になっている。また、図３には、ＵＨＦバンドに属する無料番組の地上ディジタル放送のチャンネルＤ1 、Ｄ2 …が併せて図示されている。チャンネルＤj （ｊ＝１、２…）のテレビ信号は、極性が反転されていない正規のＯＦＤＭ信号Ｓ2 であり、ヘッドエンド装置１０から併せて伝送路Ｎ上に送出される。すなわち、図２の混合部１５には、各系列のコンバータ部１４、１４…からの高周波信号ＲＦ、ＲＦ…が入力される他、図示しない情報源からの正規のＯＦＤＭ信号による複数チャンネルの無料番組のテレビ信号も併せて入力されている。
【００１７】
加入者側の端末装置２０は、入力側を伝送路Ｎに接続する分波器２１、出力側をテレビ受像機ＴＶに接続する混合器２４の他、分波器２１、混合器２４の間に介装するコンバータ２２を備えている（図４）。なお、コンバータ２２には、制御部２３が付設されており、制御部２３には、外部からの視聴許可信号Ｓa が入力されている。
【００１８】
センタ側のヘッドエンド装置１０からの正規のＯＦＤＭ信号Ｓ2 は、伝送路Ｎから分波器２１に入力すると、分波器２１、混合器２４を経由してテレビ受像機ＴＶに供給される。そこで、テレビ受像機ＴＶは、内蔵のチャンネル選択機能を利用することにより、正規のＯＦＤＭ信号Ｓ2 に含まれる複数チャンネルの無料番組を任意に選択して視聴させることができる。
【００１９】
一方、ヘッドエンド装置１０からの極性が反転されたＯＦＤＭ信号Ｓ1 は、分波器２１に入力されると、分波器２１、コンバータ２２、混合器２４を経由してテレビ受像機ＴＶに供給される。すなわち、分波器２１は、伝送路Ｎ側の入力端子から混合器２４側の出力端子間において、ＵＨＦバンド以上の信号を通過させ、入力端子からコンバータ２２側の出力端子間において、スーパーハイバンド以下の信号を通過させる。そこで、コンバータ２２は、制御部２３を介して入力される視聴許可信号Ｓa が存在することを条件にして、極性が反転されたＯＦＤＭ信号Ｓ1 の極性を再反転させてテレビ受像機ＴＶに供給し、テレビ受像機ＴＶにより、ＯＦＤＭ信号Ｓ1 に含まれる複数チャンネルの有料番組を視聴させることができる。また、テレビ受像機ＴＶは、このようにしてＯＦＤＭ信号Ｓ1 の極性が再反転されない限り、ＯＦＤＭ信号Ｓ1 に含まれる有料番組を視聴させることができない。
【００２０】
コンバータ２２は、スーパーハイバンド中の極性が反転されたＯＦＤＭ信号Ｓ1 のチャンネルＰi をＵＨＦバンド内の複数のチャンネルＵi （ｉ＝１、２…）に一括変換するとともに、チャンネルＰi の極性を再反転し、正規のＯＦＤＭ信号としてテレビ受像機ＴＶに供給することができる（図５（Ａ））。このとき、コンバータ２２は、チャンネルＰi 、Ｕi の周波数Ｆi 、Ｆui（ｉ＝１、２…）として、固定の局部発振周波数Ｆcxを使用し、Ｆui＝Ｆcx−Ｆi に設定すればよい。
【００２１】
ただし、図５（Ａ）において、符号Ｌc は、周波数軸上の局部発振信号の位置を示している。また、同図には、チャンネルＵ1 のキャリヤ１、２…ｎが周波数軸上に正しい順序に配列されており、チャンネルＵ1 が正規のＯＦＤＭ信号に戻っていることが併せて図示されている。そこで、テレビ受像機ＴＶは、内蔵のチャンネル選択機能を使用することにより、チャンネルＵi の任意の１波を選択して視聴させることができる。
【００２２】
また、コンバータ２２は、スーパーハイバンド中のチャンネルＰi をＶＨＦバンド内のチャンネルＶi （ｉ＝１、２…）に一括変換してもよい（図５（Ｂ））。このとき、コンバータ２２は、チャンネルＰi 、Ｖi の周波数Ｆi 、Ｆvi （ｉ＝１、２…）として、固定の局部発信周波数Ｆcxを使用して、Ｆvi＝Ｆcx−Ｆi に設定すればよく、テレビ受像機ＴＶは、内蔵のチャンネル選択機能により、チャンネルＶi を選択して視聴することができる。
【００２３】
なお、コンバータ２２は、スーパーハイバンド中のチャンネルＰi をＵＨＦバンド内の固定のチャンネルＵｘに個別に変換することもできる（図６（Ａ））。このときのコンバータ２２は、チャンネルＰi 、Ｕx の周波数Ｆi 、Ｆuxとして、Ｆux＝Ｆci −Ｆi となるように、チャンネルＰi ごとに異なる局部発振周波数Ｆci（ｉ＝１、２…）を使用すればよい。ただし、図６（Ａ）の符号Ｌciは、チャンネルＰi ごとに変動する局部発振信号の周波数軸上の代表的な位置を示している。また、このときのテレビ受像機ＴＶは、任意のチャンネルＰi の有料番組を視聴するために、固定のチャンネルＵx を選択すればよい。
【００２４】
同様にして、コンバータ２２は、チャンネルＰi をＶＨＦバンド内の固定のチャンネルＶx に個別に変換してもよい（図６（Ｂ））。このとき、コンバータ２２は、チャンネルＰi 、Ｖx の周波数Ｆi 、Ｆvxとして、Ｆvx＝Ｆci−Ｆi となるように、局部発振周波数ＦciをチャンネルＰi ごとに設定し、テレビ受像機ＴＶは、固定のチャンネルＶx を選択すればよい。
【００２５】
コンバータ２２は、たとえば周波数変換部２２ａ、局部発振部２２ｂを組み合わせて構成することができる（図７）。なお、局部発振部２２ｂには、制御部２３の出力が接続され、周波数変換部２２ａの出力側には、たとえばＵＨＦバンド以下の信号を通過させるローパスフィルタ２２ｃが介装されている。ローパスフィルタ２２ｃは、局部発振部２２ｂを作動させるとき、高調波の漏出によりＢＳ放送やＣＳ放送の受信に支障が生じることを防止する。
【００２６】
図５（Ａ）、（Ｂ）の一括変換の場合、コンバータ２２は、視聴許可信号Ｓa が制御部２３に入力されていることを条件にして局部発振部２２ｂを固定の局部発振周波数Ｆcxで作動させる。なお、視聴許可信号Ｓa は、たとえば視聴料相当の金額を投入するコインタイマや、視聴料相当の前払いを証するプリペイドカード用のカードリーダなどの出力信号を利用することができる。また、視聴許可信号Ｓa は、たとえばタッチパネルやキーボード、ボタンスイッチなどを使用する有料番組視聴用の専用のデータ入力機器やリモコンなどの出力信号であってもよい。
【００２７】
図６（Ａ）、（Ｂ）の個別変換の場合、コンバータ２２の局部発振部２２ｂは、チャンネルＰi のいずれを視聴するかによって異なる局部発振周波数Ｆciで作動させる必要がある。そこで、制御部２３は、視聴許可信号Ｓa に加えて、専用のリモコンなどの出力信号によりチャンネルＰi の選択情報を受け付け、それに適合するように局部発振部２２ｂの発振周波数を制御する。
【００２８】
以上の説明において、端末装置２０の分波器２１、混合器２４は、制御部２３の出力信号によって同時に作動する一対の１回路２接点形の切換スイッチ素子としてもよい。これらの切換スイッチ素子は、視聴許可信号Ｓa がないとき、コンバータ２２をバイパスさせ、視聴許可信号Ｓa があるとき、コンバータ２２を有効に作動させるように機能する。
【図面の簡単な説明】
【００２９】
【図１】全体ブロック系統図
【図２】要部ブロック系統図（１）
【図３】動作説明図（１）
【図４】要部ブロック系統図（２）
【図５】動作説明図（２）
【図６】動作説明図（３）
【図７】要部ブロック系統図（３）
【符号の説明】
【００３０】
Ｎ…伝送路
ＴＶ…テレビ受像機
Ｓ1 、Ｓ2 …ＯＦＤＭ信号
Ｓa …視聴許可信号
２０…端末装置
特許出願人            北菱電興株式会社
ミハル通信株式会社
代理人  弁理士          松  田  忠  秋
【図１】
0005102587.tif 000002
【図２】
0005102587.tif 000003
【図３】
0005102587.tif 000004
【図４】
0005102587.tif 000005
【図５】
0005102587.tif 000006
【図６】
0005102587.tif 000007
【図７】
0005102587.tif 000008